(57)【要約】【課題】建具枠の厚みが壁の厚みに左右されないことで、厚みの異なる建具枠を準備したり、調整のための部材を省略したり、煩雑な作業を省略したりすることができる建具枠の取付構造および建具枠の取付方法を提供することを目的とする。【解決手段】壁２に設けられた開口部に、扉１を支持する扉枠４を取り付ける際に、壁２と扉枠４との間に、壁２の厚みよりも薄く、かつ扉枠４よりも薄い中間枠５を設ける。これにより、壁２と扉枠４とが隣同士ではなくなるので、クロスを貼った壁２の仕上げ面から扉枠４までの視覚的な連続性を一旦途切れさせることができ、壁２の厚みと扉枠４の厚みとを無関係な状態とすることができる。【選択図】図３
2009046805.tif 000002
【特許請求の範囲】
【請求項１】
壁に設けられた開口部に、建具を支持する建具枠を取り付ける建具枠の取付構造において、前記壁と前記建具枠との間に、前記壁の厚みよりも薄い中間枠を設けた建具枠の取付構造。
【請求項２】
前記中間枠は、前記建具枠の厚みより薄く形成されている請求項１記載の建具枠の取付構造。
【請求項３】
前記中間枠には、縦枠または横枠のいずれか一方、または両方に、前記建具枠のための間口を調整する調整機構が設けられている請求項１または２記載の建具枠の取付構造
【請求項４】
壁の開口部に面する端面を含む壁面を仕上げる工程と、
前記壁の端面に、建具枠と前記壁との間に介在し、前記壁の厚みよりも薄く形成された中間枠を配置する工程と、
前記中間枠に建具枠を配置する工程とを含む建具枠の取付方法。
【発明の詳細な説明】
【技術分野】
【０００１】
本発明は、壁に設けた開口部に建具を支持する建具枠を取り付ける建具枠の取付構造および建具枠の取付方法に関する。
【背景技術】
【０００２】
従来の扉枠の取付構造については、特許文献１〜３に記載されたものがある。
特許文献１に記載の片側ケーシング枠を用いた建具枠は、左右の縦枠および上方枠が、複数の取付調整部材を備えた枠と、この枠に取り付けられる片側ケーシングとによって構成され、しかも、枠に対する片側ケーシングの取り付けが、枠に形成された嵌合溝と、片側ケーシングに形成された嵌合突起とを互いに嵌合させることによって行われるものである。
【０００３】
特許文献２に記載の扉枠材の取付構造は、隣り合う壁パネルの上端部の間で、上枠下地材を挟持せしめた後、上枠部材の側端面と、上枠下地材の下側面と、壁パネルの内側側端面で形成された凹部に縦枠部材を嵌入して形成されたものである。
【０００４】
特許文献３には、壁下地の下地枠に嵌合溝を形成しておき、幅木の施工やクロスの貼り付け後、壁の厚さ内に納まる建具枠を取付部材を用いて上記の下地枠の嵌合溝に取り付ける建具枠の完全後付け工法が記載されている。
【０００５】
【特許文献１】特開２００２−４７２０号公報
【特許文献２】特開２００５−３３６７８４号公報
【特許文献３】特開２００６−２３３６０４号公報
【発明の開示】
【発明が解決しようとする課題】
【０００６】
しかし、特許文献１〜３に記載された従来の建具枠の取付構造においては、壁面の開口部に建具枠を直接取り付ける構造であるため、壁の厚みに応じて建具枠の厚みも変更する必要がある。
【０００７】
この点について、図６に基づいて詳細に説明する。図６（Ａ）から同図（Ｃ）には、厚みが異なるクロスやモルタルの仕上げ厚を含む壁１０１ａ〜１０１ｃと、この壁１０１ａ〜１０１ｃに、それぞれ建具１０２を取り付けるための建具枠の縦枠１０３ａ〜１０３ｃとが図示されている。
【０００８】
図６（Ａ）は、主にマンションや軽微な間仕切りに多く用いられる構造で、縦枠１０３ａの厚みの方が壁１０１ａよりも厚い場合である。
図６（Ｂ）は、主に木造住宅、鉄骨造りに多く用いられる構造で、縦枠１０３ａの厚みよりも壁１０１ｂの方が厚い場合である。この場合には、壁１０１ｂの角部を覆うために縦枠１０３ｂの前後面にはカバー部材１０４が設けられている。
また、図６（Ｃ）は、壁１０１ｂ（同図（Ｂ）参照）より厚い壁１０１ｃである場合である。この場合には、縦枠１０３ｃをより厚くするための補助部材１０５が設けられる。
【０００９】
図６（Ａ）から同図（Ｃ）においては、縦枠１０３ａ〜１０３ｃのみ図示しているが、縦枠１０３ｂ，１０３ｃにおいては、図示しない上枠にも同様に壁の厚みに応じてカバー部材や補助部材が追加されている。
【００１０】
これは、従来の建具枠の取付構造において、壁の厚みが建具枠より厚い場合に、隣同士に位置する壁と建具枠との間で、視覚的に自然な感じが得られるようにするためだからである。従って、従来の建具枠の取付構造においては、様々な厚みの壁に対して建具枠の厚みを調整するような部材が追加されることで、現場での作業性が低下したり、壁の厚みに応じた厚みの建具枠を準備したりすることでコストアップとなる。
【００１１】
そこで本発明は、建具枠の厚みが壁の厚みに左右されないことで、厚みの異なる建具枠を準備したり、調整のための部材を省略したり、煩雑な作業を省略したりすることができる建具枠の取付構造および建具枠の取付方法を提供することを目的とする。
【課題を解決するための手段】
【００１２】
本発明の建具枠の取付構造は、壁に設けられた開口部に、建具を支持する建具枠を取り付ける建具枠の取付構造において、前記壁と前記建具枠との間に、前記壁の厚みよりも薄い中間枠を設けたことを特徴とする。
【００１３】
また、本発明の建具枠の取付方法は、壁の開口部に面する端面を含む壁面を仕上げる工程と、前記壁の端面に、建具枠と前記壁との間に介在し、前記壁の厚みよりも薄く形成された中間枠を配置する工程と、前記中間枠に建具枠を配置する工程とを含むことを特徴とする。
【００１４】
本発明の建具枠の取付構造は、壁の開口部に建具枠を取り付ける際に、中間枠を介在させるものである。中間枠は壁の厚みよりも薄く形成されているので、壁に施されるクロスやモルタルなどにより形成された仕上げ面に対して中間枠の露出面が一段奥深い状態となる。つまり、中間枠を壁と建具枠との間に介在させることで、壁と建具枠とを隣同士とせず、仕上げ面から建具枠までの視覚的な連続性を一旦途切れさせることができ、壁の厚みと建具枠の厚みとを無関係な状態とすることができる。従って、壁の厚みが変わっても中間枠を介在させることで、所定厚みの建具枠を準備すればよいので、壁の厚みに応じて厚みの異なる複数種類の建具枠を準備する必要がない。また、単に中間枠を壁と建具枠との間に設けるだけなので、壁の厚みに応じて様々な調整部材を建具枠に設ける必要がないので、煩雑な作業が発生しない。
【００１５】
また、従来では、壁の仕上げを行う前に建具枠の取り付けを行っていたので、仕上げを行っている間には既に取り付けられた建具枠の養生が必要となる。しかし、本発明では、中間枠を壁と建具枠との間に介在させることで、先に壁を仕上げてから中間枠と建具枠の取り付けを行うことができるので、建具枠や中間枠の養生が不要なので、煩雑な作業を省略することができる。
【００１６】
前記中間枠は、前記建具枠の厚みより薄く形成されているのが望ましい。中間枠が、建具枠の厚みより薄いと、壁と建具枠の間が、中間枠を底面とする溝となる。従って、壁と建具枠とをよりはっきりと視覚的に切り離した状態に見せることができる。
【００１７】
前記中間枠には、縦枠または横枠のいずれか一方、または両方に、前記建具枠のための間口を調整する調整機構が設けられているのが望ましい。調整機構が、縦枠または横枠のいずれか一方、または両方に設けられていると、壁を仕上げまで行った後に、壁の開口部に中間枠を取り付け、中間枠に設けられた調整機構により建具枠のための間口を調整することで、壁を形成する際に開口部の間口幅に多少誤差が生じても、建具枠を中間枠に取り付け、建具枠に建具を取り付けることができる。
【発明の効果】
【００１８】
本発明は、壁より厚みの薄い中間枠を、壁と建具枠との間に介在させることで、壁の厚みと建具枠の厚みとを無関係な状態とすることができるので、厚みの異なる建具枠を準備したり、調整のための部材を省略したり、煩雑な作業を省略したりすることができる。
【発明を実施するための最良の形態】
【００１９】
（実施の形態１）
本発明の実施の形態１に係る建具枠の取付構造について図面に基づいて説明する。なお、本実施の形態では、建具として扉を例に説明する。図１は、本発明の実施の形態１に係る扉枠を壁に取り付けた状態を示す正面図である。図２は、図１におけるＡ−Ａ線断面図である。図３は、図１におけるＢ−Ｂ線断面図である。
【００２０】
図１に示すように、扉１は、木造建築の部屋用で、壁２の開口部に設けられている。この扉１は、上部と下部とに設けられたヒンジ３を介して扉枠４に支持されている。そして、この扉枠４は、壁２に中間枠５を介在させて取り付けられている。
【００２１】
扉１は、矩形状に形成されている。図２に示すように、扉１は、開閉時に捨張り６上に設けられたフローリング用の床板材７に、底面が擦れないように、少し隙間が確保された状態で、ヒンジ３に取り付けられている。
【００２２】
図２および図３に示すように、壁２は、柱２ａおよびまぐさ２ｂに、壁面となる石膏ボード２ｃ，２ｃが設けられている。この石膏ボード２ｃの表面に、仕上げとしてクロスが貼られている。また、開口部側である壁２の端面として、ベニア板で形成された化粧板２ｄが設けられている。壁２の下部には幅木２ｅが設けられている。
【００２３】
扉枠４は、木製の上扉枠４ａと縦扉枠４ｂとを備えている。この上扉枠４ａおよび縦扉枠４ｂには、上扉枠４ａおよび縦扉枠４ｂのそれぞれに沿って、扉１と扉枠４との隙間を塞ぐと共に、扉１を閉じた時に扉１が行き過ぎないようにする戸当たり４ｃが設けられている。この扉枠４は、壁２の厚みより薄く形成されている。本実施の形態１では、断面楕円形状に形成された戸当たり４ｃを、高級感を醸し出すために真鍮製としているが、木製でも他の金属製としてもよい。
上扉枠４ａおよび縦扉枠４ｂは、断面略楕円形に形成され、中間枠５が嵌る溝４ａｘ，４ｂｘと、戸当たり４ｃが嵌る溝４ａｙ，４ｂｙとが設けられている。
【００２４】
中間枠５は、上中間枠５ａと縦中間枠５ｂとを備えている。本実施の形態１では、中間枠５は木製であるが、金属製でもよい。この上中間枠５ａおよび縦中間枠５ｂは、断面がコ字状に形成されている。この中間枠５は、壁２よりも薄く、かつ扉枠４よりも薄く形成されている。従って、壁２と扉枠４との間に介在することで露出している中間枠５の露出面５ｃ（図１参照）は、壁２の仕上げ面（クロスが貼られた面）よりも一段奥深い状態となる。つまり、壁２と扉枠４との間は、露出面５ｃを底面とした溝となっている。
【００２５】
上扉枠４ａおよび上中間枠５ａは、上扉枠４ａからまぐさ２ｂに至るまで貫通するビス８により壁２に取り付けられている。このビス８は、上扉枠４ａおよび上中間枠５ａに沿って所定間隔ごとに設けられている。また、同様に、縦扉枠４ｂおよび縦中間枠５ｂは、縦扉枠４ｂから柱２ａに至るまで貫通するビス８により壁２に取り付けられている。扉枠４および中間枠５は、それぞれの軸線を壁２の端面の長手方向に沿った中心線に合わせた位置に配置されている。本実施の形態１では、ビス８のねじ溝が、扉枠４および中間枠５と、柱２ａまたはまぐさ２ｂとの間隔をそれぞれ固定するために、全体的に形成されている。しかし、ビス８のねじ溝は、扉枠４と中間枠５と柱２ａとまぐさ２ｂとのそれぞれに対応する位置だけに設けられていてもよい。
【００２６】
以上のように構成された本発明の実施の形態１に係る扉枠の取付方法について、図１から図３に基づいて説明する。
まず、壁２の仕上げを行う。具体的には、壁２の壁面となる石膏ボード２ｃをタッカーにより柱２ａとまぐさ２ｂのそれぞれに留め、クロスを石膏ボード２ｃに接着剤で貼る。次に、石膏ボード２ｃから余ったクロスを折り込んだ状態で、化粧板２ｄを柱２ａとまぐさ２ｂのそれぞれに留める。そうすることで、クロス張りを美観よく仕上げることができる。そして、壁２の下端に幅木２ｅを取り付ける。
【００２７】
次に、扉枠４と中間枠５とを壁２に取り付けるが、事前に、幅木２ｅの高さ分の切り欠きを、縦中間枠５ｂの下端の壁側に形成しておく。縦中間枠５ｂは、断面コ字状に形成されていることで、切り落とす部分が少ないので、下端の壁側に切り欠きを形成しやすい。
【００２８】
そして、中間枠５の上中間枠５ａを、上扉枠４ａと一緒にビス８でまぐさ２ｂに留める。また、同様に、中間枠５の縦中間枠５ｂを、縦扉枠４ｂと一緒にビス８で柱２ａに留める。その際に、上扉枠４ａの溝４ａｘへの上中間枠５ａの進入度合いを調整すると共に、縦扉枠４ｂの溝４ｂｘへの縦中間枠５ｂの進入度合いを調整することで、扉枠４のための間口を調整する。そうすることで、垂直に設けられた対向する２枚の化粧板２ｄ同士の間や、鴨居となる化粧板２ｄと床板材７との間に、設計値との誤差があっても、中間枠５に扉枠４を取り付けることができ、扉枠４に扉１を取り付けることができる。また、中間枠５が当接する化粧板２ｄに多少の凹凸があっても、上中間枠５ａおよび縦中間枠５ｂが断面コ字状に形成されていることで、化粧板２ｄと接触する面積が少ないので、化粧板２ｄの表面の粗さの影響を受けにくい。従って、中間枠５の当接面を化粧板２ｄに隙間無く取り付けることができる。
【００２９】
このように、扉枠４を、中間枠５を介在させて壁２に取り付けることで、壁２と扉枠４とが隣同士ではなくなるので、クロスを貼った壁２の仕上げ面から扉枠４までの視覚的な連続性を一旦途切れさせることができ、壁２の厚みと扉枠４の厚みとを無関係な状態とすることができる。従って、壁２の厚みが変わっても中間枠５を介在させることで、所定厚みの扉枠４を準備すればよいので、壁２の厚みに応じて厚みの異なる複数種類の扉枠を準備する必要がない。
【００３０】
これにより、扉枠を製作するメーカ側にとっては、壁の厚みごとの扉枠や、扉枠の厚みを補う補助部材をオーダー可能な状態とする必要がないので、扉枠のコストの大幅な低減を図ることができる。また、家屋を設計するものにとっては、壁の厚みに応じた厚みの扉枠を選択したり、扉枠の厚みを補う補助部材を選択したりすることが不要になるので、設計が容易である。また、現場では、単に中間枠５を壁２と扉枠４との間に設けるだけなので、壁２の厚みに応じて様々な調整部材を扉枠４に設ける必要がないので、煩雑な作業が発生しない。
【００３１】
中間枠５を介在させず、扉枠を壁に直接取り付ける従来の扉枠の取付構造では、扉枠４の幅より壁２の厚みが厚いときには、図６（Ｃ）のように扉枠１０３ｃに補助部材１０５が追加で設けられる。この場合には、壁１０１ｃの端面に扉枠１０３ｃと補助部材１０５とを取り付けた後に、壁１０１ｃの両面に仕上げとしてクロス、ペンキ、モルタルやタイルなどが施される。従って、扉枠１０３ｃや補助部材１０５と、仕上げ面との繋ぎ目の処理が難しく、きれいに仕上げようとすると熟練を要する。また、壁１０１ｃが仕上がる前に、扉枠１０３ｃを壁１０１ｃに取り付けなくてはならないので、現場への扉枠１０３ｃの搬入時期が壁１０１ｃの仕上げ前となる。従って、壁１０３ｃの施工中に不用意に扉枠１０３ｃを傷つけたり破損させたりしないためにも扉枠１０３ｃの養生が必要となる。
【００３２】
本実施の形態１では、仕上げであるクロスを、壁面を形成する石膏ボード２ｃに貼ってから化粧板２ｄを取り付け、この化粧板２ｄに中間枠５を取り付ける順序とすることで、クロスを柱２ａまたはまぐさ２ｂの角部に折り曲げた状態で化粧板２ｄを取り付ければ、クロスの末端処理に熟練は不要である、また、壁２が仕上がって後に、中間枠５と扉枠４とを取り付けることができるので、中間枠５と扉枠４との現場への搬入は壁２の作業が完了する直前で十分である。従って、中間枠５と扉枠４との養生を不要とすることができる。更に、扉枠４の取り外しが容易なので、リサイクルも容易にできる。
【００３３】
（実施の形態２）
次に、本発明の実施の形態２に係る扉枠の取付構造について、図４に基づいて説明する。図４は、本発明の実施の形態２に係る扉枠の取付構造を示す図である。なお、図４においては、図３と同じ構成のものは同符号を付して説明を省略する。
【００３４】
図４に示すように、実施の形態２に係る中間枠の縦中間枠１５には、扉枠４のための間口を調整することができる調整機構１６が設けられている。この調整機構１６は、外ねじ１６ａと内ねじ１６ｂとで構成されている。
【００３５】
外ねじ１６ａは、円筒形状に形成されている。外ねじ１６ａの外周面には、縦中間枠１５に固定するためのねじ溝が形成されている。内ねじ１６ｂは、円筒形状に形成され、壁２側となる先部には、化粧板２ｄに当接する鍔部１６ｂｘが形成されている。
【００３６】
この縦中間枠１５を壁２に取り付ける際には、予め対向する化粧板２ｄ同士の間を測定することで壁２の間口とする。そして、設計値と比較することで誤差を算出し、この誤差に応じて内ねじ１６ｂを右回転か、または左回転させて、内ねじ１６ｂを進退させる。
【００３７】
そして、縦中間枠１５を、扉枠４（縦扉枠４ｂ）と一緒にビス８にて柱２ａに至るまで化粧板２ｄを貫通させて留める。このように、壁２を仕上げまで行った後に縦中間枠１５を取り付けようとする際に、扉枠４のための間口が多少誤差を含んでいても、調整機構１６により間口を調整することができるので、扉枠４を隙間無く縦中間枠１５に取り付けることができる。また、縦中間枠１５の取り付けを、壁２の仕上げの完了後とすることができるので、中間枠５と扉枠４との養生を不要とすることができる。
【００３８】
なお、図４においては、一方の縦中間枠１５側のみ図示しているが、調整機構１６は一方の縦中間枠１５のみに設けるようにしてもよいし、両方の縦中間枠１５に設けるようにしてもよい。両方の縦中間枠１５に設けるようにすることで、調整の範囲を広くすることができる。また、図示していないが上中間枠（横枠）に調整機構１６を設けるようにしてもよい。
【００３９】
（実施の形態３）
次に、本発明の実施の形態３に係る扉枠の取付構造について、図５に基づいて説明する。図５は、本発明の実施の形態３に係る扉枠の取付構造を示す図である。なお、図５においては、図３と同じ構成のものは同符号を付して説明を省略する。
【００４０】
図５に示すように、実施の形態３に係る扉枠４の取付構造は、中間枠２０をコンクリート壁２１に設けたものである。中間枠２０の縦中間枠２０ａは、断面コ字状の第１縦中間枠２０ａｘと第２縦中間枠２０ａｙとを開口側を対向させて重ね合わせることで四角筒状に形成されている。
【００４１】
第１縦中間枠２０ａｘは、コンクリート壁２１に埋設されたグリップアンカー２１ａにボルト２０ｂにより固定されている。また、第２縦中間枠２０ａｙは、ビス２０ｃにより扉枠４の縦扉枠４ｂに固定されている。そして、第１縦中間枠２０ａｘと第２縦中間枠２０ａｙとは、第１縦中間枠２０ａｘに設けられた長孔２０ａｚと第２縦中間枠２０ａｙに設けられた丸孔（図示せず）とを挿通した状態で係止するタップねじ２０ｄにより、固定されている。
【００４２】
この中間枠２０をコンクリート壁２１に取り付ける際には、仕上げを済ませ、グリップアンカー２１ａを埋設した状態のコンクリート壁２１に、予め第１縦中間枠２０ａｘを、ボルト２０ｂにより固定しておく。コンクリート壁２１の仕上げは、コンクリート打ち放しでもよいし、壁面にタイルなどを貼るようにしてもよい。
【００４３】
次に、第２縦中間枠２０ａｙをビス２０ｃにより固定した縦扉枠４ｂを準備して、第２縦中間枠２０ａｙを第１縦中間枠２０ａｘに合わせる。
【００４４】
そして、扉枠４の間口を、第１縦中間枠２０ａｘの長孔２０ａｚと第２縦中間枠２０ａｙの丸孔とにタップねじ２０ｄを挿通させた状態で、第１縦中間枠２０ａｘと第２縦中間枠２０ａｙとの重なり度合いを変えることで調整する。最後に、第１縦中間枠２０ａｘと第２縦中間枠２０ａｙとの位置が決定したところで、タップねじ２０ｄを締め付けて、縦中間枠２０ａの幅が変わらないように固定する。そうすることで、コンクリート壁２１の間口に誤差が生じていても、扉枠４の間口を設計値と合わせることができる。
【００４５】
このように、中間枠２０の幅が調整可能とするために２つの枠部材を重ね合わせる構成とすることで、扉枠４のための間口を調整する調整機構を形成してもよい。また、コンクリート壁２１の仕上げを済ませてから扉枠４の取り付けを行えるので、実施の形態１，２と同様の効果が得られる。
【００４６】
以上、本発明の実施の形態について説明してきたが、本発明は前記実施の形態に限定されるものではない。例えば、本実施の形態では、建具として扉を例に説明したが、窓でも障子や、襖などでもよい。
【産業上の利用可能性】
【００４７】
本発明は、住宅やビルなどの施設に設置される建具の取付構造および建具の取付方法に好適である。
【図面の簡単な説明】
【００４８】
【図１】本発明の実施の形態１に係る扉枠を壁に取り付けた状態を示す正面図である。
【図２】図１におけるＡ−Ａ線断面図である。
【図３】図１におけるＢ−Ｂ線断面図である。
【図４】本発明の実施の形態２に係る扉枠の取付構造を示す図である。
【図５】本発明の実施の形態３に係る扉枠の取付構造を示す図である。
【図６】（Ａ）〜（Ｃ）は、従来の建具枠の取付構造を示す概略断面図である。
【符号の説明】
【００４９】
１  扉
２  壁
２ａ  柱
２ｂ  まぐさ
２ｃ  石膏ボード
２ｄ  化粧板
２ｅ  幅木
３  ヒンジ
４  扉枠
４ａ  上扉枠
４ａｘ，４ａｙ  溝
４ｂ  縦扉枠
４ｂｘ，４ｂｙ  溝
４ｃ  戸当たり
４ｙ  溝
５  中間枠
５ａ  上中間枠
５ｂ  縦中間枠
５ｃ  露出面
６  捨張り
７  床板材
８  ビス
１５  縦中間枠
１６  調整機構
１６ａ  外ねじ
１６ｂ  内ねじ
１６ｂｘ  鍔部
２０  中間枠
２０ａ  縦中間枠
２０ａｘ  第１縦中間枠
２０ａｙ  第２縦中間枠
２０ａｚ  長孔
２０ｂ  ボルト
２０ｃ  ビス
２０ｄ  タップねじ
２１  コンクリート壁
２１ａ  グリップアンカー
【図１】
2009046805.tif 000003
【図２】
2009046805.tif 000004
【図３】
2009046805.tif 000005
【図４】
2009046805.tif 000006
【図５】
2009046805.tif 000007
【図６】
2009046805.tif 000008